(57)【要約】      （修正有）【課題】  同軸ケーブル用電気コネクタの結線効率および接続信頼性の双方を向上させつつ導通検査工数等を削減することを可能とする。【解決手段】  導電端子１３を収容して保持する複数の端子受容溝１２と交差するように延在する接合用逃げ溝１４を絶縁ハウジング１１に形成したことによって、複数の同軸ケーブルＳＣを一括結線するためのヒータヘッドＨＤを同軸ケーブル側に押圧した際に、そのヒータヘッドＨＤの加熱面ＨＤ１が絶縁ハウジング１１に対して近接または接触させないように構成してヒータヘッドＨＤの清掃を不要とすることにより連続結線を可能にするとともに、半田材の濡れ性を向上させるフラックス材の余剰分を接合用逃げ溝１４内に貯留させることによって嵌合相手側への流動を阻止し、いわゆるフラックス上がりを良好に防止するように構成したもの。【選択図】図４
2007172900.tif 000002
【特許請求の範囲】
【請求項１】
多極配列された同軸ケーブルの導体が半田接続される複数の導電端子と、それらの導電端子を収容して保持する複数の端子受容溝が前記同軸ケーブルの配列方向である長手方向に沿って並列するように設けられた絶縁ハウジングと、を有する同軸ケーブル用電気コネクタにおいて、
前記絶縁ハウジングには、前記端子受容溝と交差するように延在する接合用逃げ溝が形成されていることを特徴とする同軸ケーブル用電気コネクタ。
【請求項２】
前記接合用逃げ溝は、半田接続時に加熱される部位に対応して設けられていることを特徴とする請求項１記載の同軸ケーブル用電気コネクタ。
【請求項３】
前記接合用逃げ溝は、前記端子受容溝の開口形成面に適宜の段差をなして窪むように形成されていることを特徴とする請求項１または２に記載の同軸ケーブル用電気コネクタ。
【請求項４】
前記端子受容溝の開口形成面は、前記導電端子における同軸ケーブル載置面に対して適宜の段差をなして窪む平面からなることを特徴とする請求項３に記載の同軸ケーブル用電気コネクタ。
【請求項５】
前記長手方向と直交する方向における前記接合用逃げ溝の幅寸法Ｃは、半田接続時に用いるヒータヘッドの幅寸法Ｂより大きくなる（Ｃ＞Ｂ）ように形成されていることを特徴とする請求項１ないし４のいずれかに記載の同軸ケーブル用電気コネクタ。
【請求項６】
前記絶縁ハウジングには、前記導電端子を挟持する端子保持部が設けられ、
その端子保持部の挟持寸法が、前記導電端子の外径寸法よりも僅かに小さくなるように形成されていることを特徴とする請求項１ないし５のいずれかに記載の同軸ケーブル用電気コネクタ。
【発明の詳細な説明】
【技術分野】
【０００１】
本発明は、絶縁ハウジングに保持された複数の導電端子に多極配列された同軸ケーブルを半田接続するように構成された同軸ケーブル用電気コネクタに関する。
【背景技術】
【０００２】
一般に、各種電気機器等において、同軸ケーブルの電気接続を行うための電気コネクタが広く採用されている。例えば図５および図６に示されている同軸ケーブル用電気コネクタの絶縁ハウジング１には、多極配列された同軸ケーブル２の配列方向である長手方向に沿って複数の端子受容溝３が並列するように形成されており、それらの各端子受容溝３内に導電端子（コンタクト）４がそれぞれ収容されることにより保持されている。そして、それらの各導電端子４の端子接続部に、前記同軸ケーブル２の端末部分を皮剥きして露出された導体（芯線）が載置された状態で、半田付けによって各同軸ケーブル２の接続が行われるようになっている。
【０００３】
このように同軸ケーブル２の端末部分を半田接続するにあたっては、下記の特許文献１等に開示されているように、半田材を溶融するヒータヘッド（本願発明を表した図１中における符号ＨＤ参照）の加熱面を、複数の同軸ケーブル２，２，・・・の上方全体にわたって並列方向に掛け渡すように配置し、そのヒータヘッドの加熱・加圧作用によって複数の同軸ケーブル２，２，・・・の全体を一括して半田接続することが従来から行われている。
【０００４】
しかしながら、従来の同軸ケーブル用電気コネクタに対して、上述したように複数の同軸ケーブル２，２，・・・を一括結線するにあたっては、ヒータヘッドを同軸ケーブル側に押圧した際に当該ヒータヘッドの加熱面が絶縁ハウジング１に設けられた端子受容溝３の開口形成面３ａに近接または接触してしまう。そのため、前記ヒータヘッドからの熱によって絶縁ハウジング１の一部が溶融状態となり、その溶融した樹脂材がヒータヘッド側に付着して樹脂カスとなることがある。その結果、従来では、ヒータヘッドに付着した樹脂カス等の清掃作業を定期的に行うことが必要となっており、そのために連続的に結線する作業が困難となって、その分、作業効率が低下するおそれがある。
【０００５】
一方、同軸ケーブル２を導電端子（コンタクト）４に半田接続するにあたっては、一般に半田材の濡れ性を良好化するためのフラックス材がしばしば使用されているが、そのようなフラックス材を使用した場合には、いわゆるフラックス上がりと呼ばれる問題を生じることがある。すなわち、余剰となったフラックス材は、導電端子４の端子接続部よりも高い位置にある端子受容溝３の開口部形成面３ａに向かって逃げることができないため、もっぱら、導電端子４とその導電端子４を保持する端子受容溝３との微小隙間内に流れ込んでいくこととなる。その結果、前記端子受容溝３の微小隙間内に流れ込んだ余剰フラックスは、当該微小隙間を伝わって嵌合相手の電気的接触部まで到達してしまい、接触不良の原因になることがある。
【０００６】
【特許文献１】特開２０００−７７１２３公報
【発明の開示】
【発明が解決しようとする課題】
【０００７】
そこで本発明は、ヒータヘッドの清掃を不要とすることによって連続結線作業を可能とするとともに、嵌合相手に対するフラックス上がりを良好に防止することができるようにした同軸ケーブル用電気コネクタを提供することを目的とする。
【課題を解決するための手段】
【０００８】
上記目的を達成するため本発明にかかる同軸ケーブル用電気コネクタでは、多極配列された同軸ケーブルの導体が半田接続される複数の導電端子と、それらの導電端子を収容して保持する複数の端子受容溝が前記同軸ケーブルの配列方向である長手方向に沿って並列するように設けられた絶縁ハウジングと、を有する同軸ケーブル用電気コネクタにおいて、前記絶縁ハウジングには、前記端子受容溝と交差するように延在する接合用逃げ溝が形成されており、例えば、前記接合用逃げ溝は、半田接続時に加熱される部位に対応して設けられている。
【０００９】
このような構成を有する同軸ケーブル用電気コネクタによれば、ヒータヘッドを用いて複数の同軸ケーブルを一括結線するにあたって、前記ヒータヘッドの加熱面を同軸ケーブル側に押圧した際に、絶縁ハウジングに設けられた接合用逃げ溝の内部側に形成されている逃げ空間が介在することによって、前記ヒータヘッドの加熱面が絶縁ハウジングに近接または接触することがなくなり、その結果、従来のような絶縁ハウジングの溶融現象が回避されることとなって、ヒータヘッドに対する樹脂カス等の付着が防止されるようになっている。
【００１０】
さらに、同軸ケーブルを導電端子に対して半田接続を行うにあたって、半田材の濡れ性を向上させるためのフラックス材を使用した際に余剰となったフラックス材は、接合用逃げ溝内に貯留されることとなるため、従来のように嵌合相手側に向かって流動することが防止されるようになっている。
【００１１】
また、本発明にかかる同軸ケーブル用電気コネクタでは、前記接合用逃げ溝が前記端子受容溝の開口形成面に適宜の段差をなして窪むように形成され、または前記端子受容溝の開口形成面が前記導電端子における同軸ケーブル載置面に対して適宜の段差をなして窪む平面からなり、あるいは前記長手方向と直交する方向における前記接合用逃げ溝の幅寸法が半田接続時に用いるヒータヘッドの幅寸法より大きくなるように形成されている。
【００１２】
このような構成を有する同軸ケーブル用電気コネクタによれば、ヒータヘッドの加熱面が絶縁ハウジングに対して確実に近接または接触することがなくなるとともに、余剰フラックス材の貯留機能が確実に得られるようになっている。
【００１３】
また、本発明にかかる同軸ケーブル用電気コネクタでは、前記絶縁ハウジングには前記導電端子を挟持する端子保持部が設けられ、その端子保持部の挟持寸法が前記導電端子の外径寸法よりも僅かに小さくなるように形成されている。
【００１４】
このような構成を有する同軸ケーブル用電気コネクタによれば、同軸ケーブルを導電端子に対して半田接続を行う際に使用されるフラックス材の流動が端子保持部の挟持部位において阻止されるため、嵌合相手側への進入がより一層確実に防止されるようになっている。
【発明の効果】
【００１５】
以上述べたように本発明にかかる同軸ケーブル用電気コネクタは、導電端子を収容して保持する複数の端子受容溝と交差するように延在する接合用逃げ溝を絶縁ハウジングに形成したことによって、複数の同軸ケーブルを一括結線するためのヒータヘッドを同軸ケーブル側に押圧した際に、そのヒータヘッドの加熱面が絶縁ハウジングに対して近接または接触させないように構成してヒータヘッドの清掃を不要とすることにより連続結線を可能にするとともに、半田材の濡れ性を向上させるフラックス材の余剰分を接合用逃げ溝内に貯留させることによって嵌合相手側への流動を阻止し、いわゆるフラックス上がりを良好に防止するように構成したものであるから、結線効率および接続信頼性の双方を向上させつつ、導通検査工数等を削減することができ、同軸ケーブル用電気コネクタの信頼性を低廉かつ確実に高めることができる。
【発明を実施するための最良の形態】
【００１６】
以下、本発明をプラグコネクタに適用した実施形態を図面に基づいて詳細に説明する。
図１ないし図４に示されている実施形態にかかるプラグコネクタ１０は、その嵌合相手方である図示を省略したレセプタクルコネクタと図４の右方側に向かって嵌合される構成になされたものであって、嵌合方向の前端側（図４の右端側）には、前記レセプタクルコネクタ（図示省略）に対する相手嵌合部１０Ａが設けられているとともに、嵌合方向の後端端側（図４の左端側）には、多極配列された同軸ケーブル（Small Gauge Coaxial Cable、以下ＳＣ）が連結されるケーブル接続部１０Ｂが設けられている。
【００１７】
プラグコネクタ１０の構成を説明するために、図２では右側一部の導電端子（プラグコンタクト）１３を取り除いた形態を示している。このようなプラグコネクタ１０の枠体を構成している絶縁ハウジング１１は、前記嵌合方向と略直交する長手方向、すなわち前記同軸ケーブルＳＣの多極配列方向（図４の紙面垂直方向）に沿って延在する細長板状部材から形成されている。この絶縁ハウジング１１には、前記長手方向に沿って複数の端子受容溝１２，１２，・・・が前記同軸ケーブルＳＣの多極配列ピッチに対応して並列するように穿設されていて、それらの各端子受容溝１２内には、複数の導電端子（プラグコンタクト）１３の各々が収容されることにより保持されている。
【００１８】
上述した各導電端子（プラグコンタクト）１３の嵌合方向後端側（図４の左端側）部分には、上述した同軸ケーブルＳＣの端末部分が皮剥きされて露出された中心導体（芯線）ＳＣ１を半田接続される端子接続部１３ａがそれぞれ形成されているとともに、前記各導電端子１３の嵌合方向前方側（図４の右端側）部分は、前記絶縁ハウジング１１に設けられた端子保持部１１ａに挟持されている。
【００１９】
その端子保持部１１ａは、前記絶縁ハウジング１１を嵌合方向に貫通するように形成された挿通孔から形成されたものであって、その端子保持部１１ａを構成している挿通孔の内径、すなわち前記導電端子（プラグコンタクト）１３に対する挟持寸法が、当該導電端子１３の外径寸法よりも僅かに小さくなるように形成されている。つまり、前記導電端子１３における図４中の符号Ｄで示された被挟持部分の全長または一部の厚み寸法および幅寸法は、前記端子保持部１１ａの孔内径寸法に対して、０．０１〜０．０５ｍｍ程度にわたって大きくなるように形成されており、端子保持部１１ａに対して導電端子１３を喰い込ませるようにして圧入が行われている。さらに、プラグコネクタ１０の別の製造方法として、導電端子（プラグコンタクト）１３を絶縁ハウジング１１内に組み入れた状態で成形（インサート成形）を行うことも可能である。
【００２０】
また、上述したケーブル接続部１０Ｂにおいては、前記導電端子（プラグコンタクト）１３の端子接続部１３ａが前記各端子受容溝１２の内部に装着されているとともに、それらの各端子接続部１３ａの図示上面側に対して前記同軸ケーブルＳＣの中心導体（芯線）ＳＣ１が載置され、その状態で後述のように半田接続が行われるようになっている。このとき、前記同軸ケーブルＳＣの中心導体ＳＣ１は、前記各端子受容溝１２の間部分において前記絶縁ハウジング１１に形成されたガイド部１１ｂ，１１ｂ，・・・によって位置決めが行われるようになっている。
【００２１】
このとき、前記各端子受容溝１２は、前記嵌合方向に延在する断面略コの字状の溝をなすようにして前記絶縁ハウジング１１に平坦面に穿設されており、それらの各端子受容溝１２の開口部を形成している前記絶縁ハウジング１１の開口形成面１１ｃは、当該絶縁ハウジング１１の長手方向に沿って延在する平坦面から形成されている。その平坦面からなる開口形成面１１ｃは、前記導電端子１３の同軸ケーブル載置面（図示上面）１３ｂに対して適宜の段差をなして窪むように形成されている。
【００２２】
さらに、前記絶縁ハウジング１１には、当該絶縁ハウジング１１の長手方向に沿って延在する接合用逃げ溝１４が形成されている。この接合用逃げ溝１４は、前記端子受容溝１２の開口形成面１１ｃに対して適宜の段差をなして窪む断面略コ字状の細長溝形状をなすように形成されていて、前記各端子受容溝１２と交差するようにして長手方向に延在する構成になされている。
【００２３】
この接合用逃げ溝１４は、同軸ケーブルＳＣの半田接続時に加熱される部位、すなわち後述する一括結線時に用いるヒータヘッドＨＤの加熱面ＨＤ１に対応するように設けられており、特に図４に示されているように、前記接合用逃げ溝１４の嵌合方向（図４の左右方向）における溝幅寸法Ｃは、後述する一括結線時に用いるヒータヘッドＨＤの嵌合方向における幅寸法Ｂより広くなるように形成されている（Ｃ＞Ｂ）。
【００２４】
そして、特に図１および図４に示されているように、前記同軸ケーブルＳＣの中心導体ＳＣ１を導電端子（プラグコンタクト）１３の端子接続部１３ａの上に載置した状態で、ヒータヘッドＨＤの加熱面（図示下面）ＨＤ１を前記同軸ケーブルＳＣの上に押し付け、そのヒータヘッドＨＤによる加熱・押圧作用よって中心導体ＳＣ１を加熱・押圧し、当該中心導体ＳＣ１上に配置された図示しない棒状半田材または中心導体ＳＣ１内の半田コーティングを溶融させ、前記各同軸ケーブルＳＣの中心導体ＳＣ１の全体を導電端子１３の端子接続部１３ａに対して一括して半田付けにより接合することによって結線が行われる。棒状半田材を使用する場合の配置については、中心導体ＳＣ１の下であっても、半田付けを行うことは可能である。
【００２５】
このように本実施形態においてヒータヘッドＨＤを用いて複数の同軸ケーブルＳＣを一括結線するにあたって用いられる前記ヒータヘッドＨＤの加熱面ＨＤ１は、前出した接合用逃げ溝１４の上方側から対面するようにして下降してくるため、その接合用逃げ溝１４の内部側に形成されている逃げ空間が介在することによって前記絶縁ハウジング１１に対してヒータヘッドＨＤの加熱面ＨＤ１が近接または接触することがなくなる。その結果、従来のような絶縁ハウジングの溶融現象が回避されることとなり、ヒータヘッドＨＤに対する樹脂カス等の付着が防止される。
【００２６】
さらに、同軸ケーブルＳＣを導電端子１３に半田接続するにあたっては、半田材の濡れ性を向上させるためのフラックス材を使用されることが多いが、そのようなフラックス材を使用した際の余剰分は、前記接合用逃げ溝１４内に貯留されることとなり、従来のように嵌合相手側に向かってフラックス材が流動することが防止されるようになっている。
【００２７】
また、特に本実施形態における接合用逃げ溝１４は、端子受容溝１２の開口形成面１１ｃに適宜の段差をなして窪むように形成されているとともに、前記端子受容溝１２の開口形成面１１ｃが導電端子１３の同軸ケーブル載置面１３ｂに対して適宜の段差をなして窪む平面からなり、さらに長手方向と直交する方向における接合用逃げ溝１４の幅寸法Ｃが半田接続時に用いるヒータヘッドの幅寸法Ｂより大きくなるように形成されていることから、ヒータヘッドＨＤの加熱面ＨＤ１が絶縁ハウジング１１に対して近接または接触することが確実になくなるとともに、余剰フラックス材の貯留機能が確実に得られるようになっている。
【００２８】
さらに、上述した実施形態では、導電端子（プラグコンタクト）１３を挟持するように設けられた端子保持部１１ｂの挟持寸法が、前記導電端子１３の外径寸法よりも僅かに小さくなるように形成されていることから、同軸ケーブルＳＣを導電端子１３に対して半田接続を行う際に使用されるフラックス材の流動が端子保持部１１ｂの挟持部位において阻止されるため、嵌合相手側への進入がより一層確実に防止されるようになっている。
【００２９】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００３０】
例えば、上述した実施形態は、プラグコネクタに本発明を適用したものであるが、本発明はそれに限定されることなく、レセプタクルコネクタなどの他の電気コネクタに対しても同様に適用することができるものである。
【産業上の利用可能性】
【００３１】
本発明は、各種電気機器に使用される多種多様な電気コネクタに対して広く適用することが可能である。
【図面の簡単な説明】
【００３２】
【図１】本発明の一実施形態にかかる同軸ケーブル用電気コネクタの一括結線をヒータヘッドを用いて行う状態を表した外観斜視説明図である。
【図２】図１に示す状態から同軸ケーブルを取り外した状態の一部を拡大して表した外観斜視説明図である。
【図３】図１中のＸ部を拡大して表した外観斜視説明図である。
【図４】図１中のＹ−Ｙ線に沿った横断面説明図である。
【図５】従来における同軸ケーブル用電気コネクタの図２相当の外観斜視説明図である。
【図６】従来における同軸ケーブル用電気コネクタの図３相当の外観斜視説明図である。
【符号の説明】
【００３３】
１０  プラグコネクタ
１０Ａ  相手嵌合部
１０Ｂ  ケーブル接続部
ＳＣ  同軸ケーブル
ＳＣ１  中心導体（芯線）
１１  絶縁ハウジング
１１ａ  端子保持部
１１ｂ  ガイド部
１１ｃ  開口形成面
１２  端子受容溝
１３  導電端子（プラグコンタクト）
１３ａ  端子接続部
１３ｂ  同軸ケーブル載置面
１４  接合用逃げ溝
ＨＤ  ヒータヘッド
ＨＤ１  加熱面
【図１】
2007172900.tif 000003
【図２】
2007172900.tif 000004
【図３】
2007172900.tif 000005
【図４】
2007172900.tif 000006
【図５】
2007172900.tif 000007
【図６】
2007172900.tif 000008